(57)【要約】 【課題】利便性の良いプログラム、及び、情報表示装置を提供する。【解決手段】「考えられることは？」の欄には、項目番号「１」〜「２５」のチェック項目それぞれのチェックの有無により特定されるチェック有りのチェック項目に対応付けられている「考えられること」が一覧表示される。「こんな対応策を検討しましょう」の欄には、項目番号「１」〜「２５」のチェック項目それぞれのチェックの有無により特定されるチェック有りのチェック項目に対応付けられている「検討事項」が一覧表示される。「推奨される食事内容」の欄には、推奨（提案）される食事内容が表示される。ここでは、「学会分類２０１３（食事）」のコード等（ここでは、食形態）により推奨内容が表示される。【選択図】図９
2018180956.tif 000002
【特許請求の範囲】
【請求項１】
コンピュータを、
摂食嚥下障害を有する者の状態として考えられる複数の候補を提示する候補提示手段、
前記候補提示手段により提示された前記複数の候補のうちから、食事が観察された観察対象者の状態に該当する候補を選択する操作を受け付ける操作受付手段、
前記複数の候補と、前記複数の候補のうち対応する候補が選択されたときに考えられること及び検討すべき事項のうちの少なくとも一方を示す複数の情報と、をそれぞれ対応付けて記憶した記憶手段から、前記操作受付手段により受け付けられた操作により選択された１つ以上の前記候補に対応する１つ以上の前記情報を取得して表示部に一覧表示する表示制御手段、
として機能させるプログラム。
【請求項２】
前記表示制御手段は、前記表示部に複数の前記情報を表示する場合であって、前記複数の情報に重複する情報がある場合に、重複する情報のうちの１つを前記表示部に表示する、
請求項１に記載のプログラム。
【請求項３】
前記コンピュータを、さらに、
前記操作受付手段により受け付けられた操作により選択された前記候補に応じて食事内容を前記観察対象者に推奨される食事内容として前記表示部に表示する第２の表示制御手段、
として機能させる請求項１又は２に記載のプログラム。
【請求項４】
前記コンピュータを、さらに、
前記操作受付手段により受け付けられた操作により選択された前記候補に応じたレーダーチャートを生成して前記表示部に表示する手段であって、同一の前記観察対象者について、過去に生成したレーダーチャートと、今回生成したレーダーチャートと、を重畳して表示する第３の表示制御手段、
として機能させる請求項１〜３のいずれかに記載のプログラム。
【請求項５】
前記食事の観察及び前記候補の選択は、同一の観察対象者に対して複数回行われ、
前記コンピュータを、さらに、
選択された前記候補と観察対象者との関係をデータベース化したデータベースに、今回選択された前記候補を登録する登録手段、
として機能させる請求項１〜４のいずれかに記載のプログラム。
【請求項６】
前記食事の観察及び前記候補の選択は、同一の観察対象者に対して複数回行われ、
前記候補提示手段は、前記複数の候補を提示する際に、当該複数の候補のうち、前回の観察で前記操作受付手段により受け付けられた操作により選択された候補を報知する、
請求項１〜５のいずれかに記載のプログラム。
【請求項７】
摂食嚥下障害を有する者の状態として考えられる複数の候補を提示する候補提示手段と、
前記候補提示手段により提示された前記複数の候補のうちから、食事が観察された観察対象者の状態に該当する候補を選択する操作を受け付ける操作受付手段と、
前記複数の候補と、前記複数の候補のうち対応する候補が選択されたときに考えられること及び検討すべき事項のうちの少なくとも一方を示す複数の情報と、をそれぞれ対応付けて記憶した記憶手段から、前記操作受付手段により受け付けられた操作により選択された１つ以上の前記候補に対応する１つ以上の前記情報を取得して表示部に一覧表示する表示制御手段と、
を備える情報表示装置。
【発明の詳細な説明】
【技術分野】
【０００１】
本発明は、例えば摂食嚥下機能の低下が疑われる者の食事を支援するためのプログラム、及び、情報表示装置に関する。
【背景技術】
【０００２】
例えば、非特許文献１には、摂食嚥下機能が低下している者の状態として考えられる１〜２５のチェック項目や、各チェック項目に対応した、「考えられること」及び「検討すべき対応策」が記載されている。
【先行技術文献】
【非特許文献】
【０００３】
【非特許文献１】「食事支援チェックシートの手引き」  株式会社大塚製薬工場
【発明の概要】
【発明が解決しようとする課題】
【０００４】
上記非特許文献１では、ユーザが自ら、対象者について考えられることや検討すべき対応策をチェック項目との関係で調べなければならず、利便性が良くない。
【０００５】
この発明は、利便性の良いプログラム、及び、情報表示装置を提供することを目的とする。
【課題を解決するための手段】
【０００６】
上記目的を達成するため、本発明の第１の観点に係るプログラムは、
コンピュータを、
摂食嚥下障害を有する者の状態として考えられる複数の候補（例えば、チェック項目）を提示する候補提示手段（例えば、チェック項目をディスプレイ１０４に表示するＣＰＵ１０３）、
前記候補提示手段により提示された前記複数の候補のうちから、食事が観察された観察対象者の状態に該当する候補を選択する操作（例えば、チェック項目をチェックする操作）を受け付ける操作受付手段（例えば、チェック項目をチェックする操作を入力装置１０５を介して受け付けるＣＰＵ１０３）、
前記複数の候補と、前記複数の候補のうち対応する候補が選択されたときに考えられること（例えば、「考えられること」）及び検討すべき事項（例えば、「検討事項」）のうちの少なくとも一方を示す複数の情報と、をそれぞれ対応付けて記憶した記憶手段（例えば、チェック項目データベース１２を記憶する不揮発性記憶装置１０１）から、前記操作受付手段により受け付けられた操作により選択された１つ以上の前記候補に対応する１つ以上の前記情報を取得して表示部（例えば、ディスプレイ１０４）に一覧表示する表示制御手段（例えば、「考えられること」及び「検討事項」の内容が記載された「考えられることは？」、「こんな対応策を検討しましょう」の欄を有する図９の食事支援情報を表示するＣＰＵ１０３）、
として機能させる。
【０００７】
上記目的を達成するため、本発明の第２の観点に係る情報表示装置は、
摂食嚥下障害を有する者の状態として考えられる複数の候補（例えば、チェック項目）を提示する候補提示手段（例えば、チェック項目をディスプレイ１０４に表示するＣＰＵ１０３）と、
前記候補提示手段により提示された前記複数の候補のうちから、食事が観察された観察対象者の状態に該当する候補を選択する操作（例えば、チェック項目をチェックする操作）を受け付ける操作受付手段（例えば、チェック項目をチェックする操作を入力装置１０５を介して受け付けるＣＰＵ１０３）と、
前記複数の候補と、前記複数の候補のうち対応する候補が選択されたときに考えられること（例えば、「考えられること」）及び検討すべき事項（例えば、「検討事項」）のうちの少なくとも一方を示す複数の情報と、をそれぞれ対応付けて記憶した記憶手段（例えば、チェック項目データベース１２を記憶する不揮発性記憶装置１０１）から、前記操作受付手段により受け付けられた操作により選択された１つ以上の前記候補に対応する１つ以上の前記情報を取得して表示部（例えば、ディスプレイ１０４）に一覧表示する表示制御手段（例えば、「考えられること」及び「検討事項」の内容が記載された「考えられることは？」、「こんな対応策を検討しましょう」の欄を有する図９の食事支援情報を表示するＣＰＵ１０３）と、
を備える。
【発明の効果】
【０００８】
本発明によれば、利便性の良いプログラム、及び、情報表示装置を提供することができる。
【図面の簡単な説明】
【０００９】
【図１】本願発明の一実施形態における情報表示装置の構成図である。
【図２】チェック項目データベースの構成の一例図である。
【図３】チェック項目データベースの構成の一例図である。
【図４】個人情報データベースの構成の一例図である。
【図５】観察所見データベースの構成の一例図である。
【図６】食事提案データベースの構成の一例図である。
【図７】食事支援処理のフローチャートである。
【図８】情報表示装置により表示される各種表示画面を示す図である。
【図９】食事支援情報の構成例を示す図である。
【図１０】経口維持計画書の構成例を示す図である。
【発明を実施するための形態】
【００１０】
（情報表示装置の構成）
図１の情報表示装置１００のユーザを含む観察者は、対象者の食事（食事場面）を観察し、観察した結果（観察所見）等の情報を当該情報表示装置１００に入力する。情報表示装置１００は、入力された情報に基づいて、当該対象者の食事を支援するための情報（後述の「考えられること」、「検討事項」、推奨される「食事内容」等）を提示する。観察者やその他の関係者は、提示された情報に基づき、当該対象者の食事を支援する対応策の方針（経口維持計画等）を検討することができる。このように、情報表示装置１００は、対象者の食事を支援する食事支援装置として動作する。
【００１１】
上記の対象者は、病院の患者、又は、介護施設の入所者などであり、例えば、摂食嚥下機能の低下が疑われる者（実際に摂食嚥下機能が低下している者も含む。）である。
【００１２】
上記の観察者は、医師、歯科医師、栄養士（管理栄養士を含む）、看護師、歯科衛生士、言語聴覚士、作業療法士、理学療法士、及び、介護職員などである。観察は、通常、複数人により行われる。
【００１３】
情報表示装置１００は、パーソナルコンピュータ等からなり、図１に示すように、不揮発性記憶装置１０１と、ＲＡＭ（Random Access Memory）１０２と、ＣＰＵ（Central Processing Unit）１０３と、ディスプレイ１０４と、入力装置１０５と、を備える。
【００１４】
不揮発性記憶装置１０１は、ハードディスクなどである。不揮発性記憶装置１０１には、情報表示装置１００を動作させるのに必要な各種プログラム、各種データが記憶されている。例えば、不揮発性記憶装置１０１には、食事支援プログラム１１、チェック項目データベース１２、個人情報データベース１３、観察所見データベース１４、食事提案データベース１５などが記憶されている。
【００１５】
食事支援プログラム１１は、ＣＰＵ１０３に後述の食事支援処理を実行させる。
【００１６】
チェック項目データベース１２は、「チェック項目」と、当該「チェック項目」に対応付けられた「考えられること」及び「検討事項」と、を含む（図２及び３参照）。チェック項目データベース１２は、予め用意されてものであり、「考えられること」及び「検討事項」の内容は、「チェック項目」との関係で、専門家が予め定めたものである。
【００１７】
チェック項目は、摂食嚥下機能が低下している者（摂食嚥下障害を有する者）の状態として考えられる状態（候補）を示し、観察の対象者の状態（後述のように、観察によって把握できる状態の他、観察によらず把握できる状態（対象者の病歴や熱等）もある）が当該チェック項目に合致すると観察者により判断された場合にチェックされる。つまり、観察者は、観察の対象者の状態に該当するチェック項目（候補）をチェック（選択）する。観察者は、当該チェック項目に従って、観察の対象者の状態を確認するので、当該チェック項目は、観察の対象者の状態について観察者が確認（チェック）すべき事項を示すものでもある。当該チェック項目は、合計２５項目あり、各チェック項目には、「項目番号」として、「１」〜「２５」が順次割り当てられている（図２及び３の「項目番号」の欄の数字参照）。
【００１８】
項目番号１〜５の各チェック項目（具体的内容は、図２の項目番号１〜５それぞれのチェック項目を参照。以下、各チェック項目について同様。）は、対象者の全身状態に関するチェック項目であり、「全身状態」のカテゴリに属する（図２参照）。
【００１９】
項目番号６〜１０の各チェック項目は、対象者の認知機能又は食べることへの意欲に関するチェック項目であり、「認知・意欲」のカテゴリに属する（図２参照）。
【００２０】
項目番号１１〜１５の各チェック項目は、対象者の口腔機能に関するチェック項目であり、「口腔機能」のカテゴリに属する（図２参照）。
【００２１】
項目番号１６〜２０の各チェック項目は、対象者の咽頭機能に関するチェック項目であり、「咽頭機能」のカテゴリに属する（図３参照）。
【００２２】
項目番号２１〜２５の各チェック項目は、対象者の姿勢保持（食べるときの姿勢の保持）に関するチェック項目であり、「姿勢保持」のカテゴリに属する（図３参照）。
【００２３】
「考えられること」は、対応するチェック項目がチェックされたときに、その対象者に関して考えられること（例えば、対象者の状態がチェック項目の状態となっている原因、その対象者に懸念されるリスク）である。例えば、項目番号１のチェック項目（「ここ半年以内に「肺炎」で入院した既往がある」）がチェックされたときの「考えられること」としては、「誤嚥のリスクが高い」、「口腔内の衛生状態が悪い」がある（図２参照）。
【００２４】
「検討事項」は、対応するチェック項目がチェックされたときに、その対象者に関して検討すべき事項（例えば、摂食嚥下機能の低下を防止するために検討すべき対応策）である。例えば、項目番号１６のチェック項目（「お茶や汁物でむせる」）がチェックされたときの「検討事項」としては、「食事中の見守りや介助方法を検討」、「とろみ付けを検討」がある（図３参照）。
【００２５】
個人情報データベース１３は、対象者の個人情報をデータベース化したものである。個人情報データベースは、図４に示すように、対象者の「ＩＤ」に、当該対象者の「姓」、「名」、「性別」、「生年月日」、及び、「直近の観察日」（前回観察した日）を対応付けたものである。「ＩＤ」は、各対象者に振られた各対象者に固有の番号である。
【００２６】
観察所見データベース１４は、チェック項目の過去のチェック状況（観察所見）、及び、観察者により入力された各種情報を、対象者（ＩＤ）ごとにデータベース化したものである。図５に示すように、観察所見データベース１４では、各ＩＤに、項目番号１〜２５それぞれのチェック項目のチェックの有無（チェック有りの場合は「１」、チェック無しの場合は「０」）（図５の「チェック項目（項目番号）」の欄参照）と、そのチェック（観察）を行った観察日（図５の「観察日」の欄参照）と、観察者により入力されたその他の情報（図５の「その他」の欄参照。）と、が対応付けられている。前記その他の情報には、後述の食事支援処理にて入力される食形態、観察者等の情報が含まれる。観察所見データベース１４を構成する各情報は、後述の食事支援処理にて追加される。
【００２７】
食事提案データベース１５は、図６に示すように、「チェック数」と、各チェック数に対応付けられた「食事内容」と、が対応付けられている。「チェック数」は、項目番号１〜２５のチェック項目のうちチェックされたチェック項目の数である。「食事内容」は、チェック数に応じて提案（推奨）される食事の内容を示すものである。食事内容は、ここでは、食事に出される食品の形態である食形態により特定される。食事内容における「絶食」は、食事ではなく点滴等により栄養を供給することである。食事内容における各コードは、「日本摂食・嚥下リハビリテーション学会嚥下調整食分類２０１３」における「学会分類２０１３（食事）」で設定された分類コードであり（非特許文献１も参照）、「０ｊ」（嚥下訓練食品を指定するコード）、「０ｔ」（嚥下訓練食品を指定するコード）、「１ｊ」（嚥下調整食を指定するコード）、「２−１」（嚥下調整食を指定するコード）、「２−２」（嚥下調整食を指定するコード）、「３」（嚥下調整食を指定するコード）、「４」（嚥下調整食を指定するコード）がある。各コードは、食形態を指定し、「０ｊ」、「０ｔ」、「１ｊ」、「２−１」、「２−２」、「３」、「４」の順で、嚥下がしやすい（「０ｊ」が最も嚥下しやすい）。なお、「４」の上には、摂食嚥下障害を有さない者が通常食べる「普通食」（食形態の一種である）がある。図６における「コード４以上」は、コード「４」の他、当該「普通食」も含まれる。食事提案データベース１５は、予め用意されたものであり、チェック数と食事内容との関係は、専門家が各種調査（例えば、チェック数と、摂取可能な食事の形態と、の関係の統計を取る）を行って予め定めたものであればよい。チェック数が多ければ多いほど、摂食嚥下障害が重くなる傾向（摂食嚥下機能の低下が著しくなる傾向）がある。従って、食事提案データベース１５では、チェック数が多いほど、嚥下しやすい食形態が選択される（最終的には絶食となる）。
【００２８】
ＣＰＵ１０３は、ＲＡＭ１０２をメインメモリとして、食事支援プログラム１１を実行し、後述の食事支援処理を実行する。
【００２９】
ディスプレイ１０４は、液晶表示装置等から構成され、ＣＰＵ１０３による制御のもとで各種画像を表示する。
【００３０】
入力装置１０５は、キーボード、マウス等から構成される。
【００３１】
（食事支援処理）
次に、ＣＰＵ１０３が行う食事支援処理を図７を参照して説明する。食事支援処理は、１人以上（通常は複数人）の観察者が対象者の食事（食事のメニューは、その対象者に合わせ観察用に適宜決定される）を観察したときに利用される。食事支援処理は、例えば観察に参加した観察者のうちの１人がユーザとして入力装置１０５を操作して食事支援プログラム１１を起動させたことを契機として開始される。観察は、同一の対象者に対して定期的に複数回行われる。
【００３２】
食事支援処理において、ＣＰＵ１０３は、まず、個人情報入力受付処理を実行する（ステップＳ１０１）。例えば、ＣＰＵ１０３は、図８（Ａ）の個人情報入力画面をディスプレイ１０４に表示する。ユーザは、入力装置１０５を用いて、今回の観察の対象者の個人情報（ここでは、姓、名、性別、生年月日、及び、観察日（今回の観察の日にち））を個人情報入力画面の入力欄Ｎ１〜Ｎ５に順次入力していく。入力された内容は、入力欄Ｎ１〜Ｎ５に表示される（他の入力欄についても同様。また、後述のチェックボックスがチェックされた場合でも、チェックされたことが塗りつぶし等により表示される）。
【００３３】
ＣＰＵ１０３は、姓（又は名）の入力を受け付けたとき、個人情報データベース１３を参照し、同じ姓（又は名）か登録されているか判別する。登録されている場合、ＣＰＵ１０３は、当該姓（又は名）に対応する、ＩＤ、名（又は姓）、性別、生年月日、直近観察日をＲＡＭ１０２に読み出し、読み出した前記各情報のうち、名（又は姓）、性別、生年月日を入力欄Ｎ２（又はＮ１）〜Ｎ４に入力する。つまり、名（又は姓）、性別、生年月日が自動入力（自動表示）される。入力欄Ｎ５に、読み出された直近観察日が観察日として自動入力（自動表示）されてもよい。なお、ＣＰＵ１０３は、同じ姓（又は名）が複数登録されている場合（同姓（又は同名）の者がいる場合）には、入力欄Ｎ２（又はＮ１）〜Ｎ４に表示する候補（名（又は姓）、性別、生年月日）を提示し、ユーザに選択させる。ＣＰＵ１０３は、選択された候補を、入力欄Ｎ２（又はＮ１）〜Ｎ４に表示する。ＣＰＵ１０３により自動入力された名（又は姓）、性別、生年月日は、ユーザが修正できる。同じ姓（又は名）か登録されていない場合には、前記のような自動入力は行われず、ユーザが必要な情報を入力する。前記の自動入力により、ユーザの利便性が向上する。
【００３４】
ユーザは、姓等の各情報の入力を終了すると、入力装置１０５を用いて「次」のボタン画像Ｂ１を選択する。ＣＰＵ１０３は、当該選択を受け付けると、ステップＳ１０１の処理を終了する。すでに入力されている姓等の各情報はＲＡＭ１０２に保持される。
【００３５】
その後、ＣＰＵ１０３は、食形態入力受付処理を実行する（ステップＳ１０２）。例えば、ＣＰＵ１０３は、図８（Ｂ）の食形態入力画面をディスプレイ１０４に表示する。ユーザは、入力装置１０５を用いて、今回の観察で対象者が食べた食事の「食形態」を入力する。食形態は、例えば、主食の情報（呼称及び「学会分類２０１３（食事）」におけるコード）、副食の情報（呼称及び「学会分類２０１３（食事）」におけるコード）、とろみにより特定される。これらは、入力欄Ｎ１１〜Ｎ１５に入力される。入力欄Ｎ１１には、主食の呼称（白飯、食パン等）が入力される。入力欄Ｎ１２には、当該主食の「学会分類２０１３（食事）」におけるコードが入力される（普通食の場合には、「普通食」と入力される。コードについて同じ）。入力欄Ｎ１３には、副食の称呼（クリームシチュー、魚の煮物等）が入力される。入力欄Ｎ１４には、当該副食の「学会分類２０１３（食事）」におけるコードが入力される。入力欄Ｎ１５には、とろみ（濃い、中間、薄い、無し（とろみ無し））が入力される。ユーザは、入力を終了すると、入力装置１０５を用いて「次」のボタン画像Ｂ１２を選択する。ＣＰＵ１０３は、当該選択を受け付けると、ステップＳ１０２の処理を終了する。すでに入力されている食形態（主食（呼称及びコード）、副食（呼称及びコード）、とろみ）はＲＡＭ１０２に保持される。なお、「前」のボタン画像Ｂ１１が選択された場合には、ステップＳ１０１の処理に戻る。
【００３６】
その後、ＣＰＵ１０３は、観察者入力受付処理を実行する（ステップＳ１０３）。例えば、ＣＰＵ１０３は、図８（Ｃ）の観察者入力画面をディスプレイ１０４に表示する。ユーザは、入力装置１０５を用いて、医師、歯科医師、管理栄養士・栄養士、看護師、歯科衛生士、言語聴覚士、作業療法士、理学療法士、介護職員、及び、その他それぞれに対応するチェックボックスＣ２１〜Ｃ３０をチェックすることで、今回の観察に参加した観察者（観察者）を入力する。観察者は、職種で特定される。ユーザは、入力を終了すると、入力装置１０５を用いて「次」のボタン画像Ｂ２２を選択する。ＣＰＵ１０３は、当該選択を受け付けると、ステップＳ１０３の処理を終了する。すでに入力（チェック）されている観察者の情報はＲＡＭ１０２に保持される。なお、「前」のボタン画像Ｂ２１が選択された場合には、ステップＳ１０２の処理に戻る。
【００３７】
その後、ＣＰＵ１０３は、観察所見入力受付処理を実行する（ステップＳ１０４）。
【００３８】
当該観察所見入力受付処理において、ＣＰＵ１０３は、まず、図８（Ｄ）の第１観察所見入力画面をディスプレイ１０４に表示する。第１観察所見入力画面には、全身状態のカテゴリに属する、項目番号１〜５のチェック項目（図２参照）が表示される。ユーザは、項目番号１〜５のチェック項目のうち、今回の観察の対象者の状態に該当するチェック項目をチェックする。なお、チェック項目に該当するか否かは、ユーザ以外の観察者を交えて判断される（他のチェック項目についても同じ）。当該チェックは、各チェック項目に対応するチェックボックスＣ３１〜Ｃ３５をチェックすることで行われる。このようなチェックにより、今回の観察の対象者の状態（観察所見ともいう。）が入力される。前記「今回の観察の対象者の状態」（観察所見）には、「自力で食べることが困難である」等の観察によって把握できるものの他、「ここ半年以内に「肺炎」で入院した既往がある」等の観察によらず把握できるものを含んでもよい（他のカテゴリについても同じ）。ユーザは、チェックを終了すると、入力装置１０５を用いて「次」のボタン画像Ｂ３２を選択する。ＣＰＵ１０３は、当該選択を受け付けると、図８（Ｅ）の第２観察所見入力画面をディスプレイ１０４に表示する。このとき、各チェック項目のチェックの有無の情報はＲＡＭ１０２に保持される。「前」のボタン画像Ｂ３１が選択された場合には、ステップＳ１０３の処理に戻る。
【００３９】
図８（Ｅ）の第２観察所見入力画面には、認知・意欲のカテゴリに属する、項目番号６〜１０のチェック項目（図２参照）が表示される。ユーザは、項目番号６〜１０のチェック項目のうち、今回の観察の対象者の状態に該当するチェック項目をチェックする。当該チェックは、各チェック項目に対応するチェックボックスＣ４１〜Ｃ４５をチェックすることで行われる。このようなチェックにより、今回の観察の対象者の状態（観察所見）が入力される。ユーザは、チェックを終了すると、入力装置１０５を用いて「次」のボタン画像Ｂ４２を選択する。ＣＰＵ１０３は、当該選択を受け付けると、図８（Ｆ）の第３観察所見入力画面をディスプレイ１０４に表示する。このとき、各チェック項目のチェックの有無の情報はＲＡＭ１０２に保持される。「前」のボタン画像Ｂ４１が選択された場合には、第１観察所見入力画面の表示に戻る。
【００４０】
図８（Ｆ）の第３観察所見入力画面には、口腔機能のカテゴリに属する、項目番号１１〜１５のチェック項目（図２参照）が表示される。ユーザは、項目番号１１〜１５のチェック項目のうち、今回の観察の対象者の状態に該当するチェック項目をチェックする。当該チェックは、各チェック項目に対応するチェックボックスＣ５１〜Ｃ５５をチェックすることで行われる。このようなチェックにより、今回の観察の対象者の状態（観察所見）が入力される。ユーザは、チェックを終了すると、入力装置１０５を用いて「次」のボタン画像Ｂ５２を選択する。ＣＰＵ１０３は、当該選択を受け付けると、図８（Ｇ）の第４観察所見入力画面をディスプレイ１０４に表示する。このとき、各チェック項目のチェックの有無の情報はＲＡＭ１０２に保持される。「前」のボタン画像Ｂ５１が選択された場合には、第２観察所見入力画面の表示に戻る。
【００４１】
図８（Ｇ）の第４観察所見入力画面には、咽頭機能のカテゴリに属する、項目番号１６〜２０のチェック項目（図３参照）が表示される。ユーザは、項目番号１６〜２０のチェック項目のうち、今回の観察の対象者の状態に該当するチェック項目をチェックする。当該チェックは、各チェック項目に対応するチェックボックスＣ６１〜Ｃ６５をチェックすることで行われる。このようなチェックにより、今回の観察の対象者の状態（観察所見）が入力される。ユーザは、チェックを終了すると、入力装置１０５を用いて「次」のボタン画像Ｂ６２を選択する。ＣＰＵ１０３は、当該選択を受け付けると、図８（Ｈ）の第５観察所見入力画面をディスプレイ１０４に表示する。このとき、各チェック項目のチェックの有無の情報はＲＡＭ１０２に保持される。「前」のボタン画像Ｂ６１が選択された場合には、第３観察所見入力画面の表示に戻る。
【００４２】
図８（Ｈ）の第５観察所見入力画面には、姿勢保持のカテゴリに属する、項目番号２１〜２５のチェック項目（図３参照）が表示される。ユーザは、項目番号２１〜２５のチェック項目のうち、今回の観察の対象者の状態に該当するチェック項目をチェックする。当該チェックは、各チェック項目に対応するチェックボックスＣ７１〜Ｃ７５をチェックすることで行われる。このようなチェックにより、今回の観察の対象者の状態（観察所見）が入力される。ユーザは、チェックを終了すると、入力装置１０５を用いて「次」のボタン画像Ｂ７２を選択する。ＣＰＵ１０３は、当該選択を受け付けると、ステップＳ１０４の処理を終了する。このとき、各チェック項目のチェックの有無の情報はＲＡＭ１０２に保持される。「前」のボタン画像Ｂ７１が選択された場合には、第４観察所見入力画面の表示に戻る。
【００４３】
ＣＰＵ１０３は、ステップＳ１０４の後、データベース登録処理を実行する（ステップＳ１０５）。ＣＰＵ１０３は、まず、今回の個人情報入力受付処理（ステップＳ１０１）にて入力（自動表示も含む）され、ＲＡＭ１０２に保持されている姓、名、性別、及び、生年月日のセットが個人情報データベース１３において同じＩＤに対応付けられてすでに登録されているかを判別する。登録されていない場合（観察が初回のとき）、まず、ＩＤを生成する。ＩＤは、個人情報データベース１３にすでに登録されているＩＤの中で最も大きい番号＋１で生成される。その後、ＣＰＵ１０３は、当該新たに生成したＩＤと、ＲＡＭ１０２に保持されている、姓、名、性別、生年月日、及び、観察日と、を、互いに対応付けて個人情報データベース１３に登録する。観察日は、直近観察日として登録される。ＩＤ、姓、名、性別、生年月日、及び、直近観察日により、個人情報データベース１３における１つのレコードが構成される。姓等がすでに登録されている場合（観察が初回でないとき）、当該１つのレコードにおける直近観察日を、今回入力され、ＲＡＭ１０２に保持されている観察日に更新する。ＣＰＵ１０３は、新たに登録又はすでに登録されている今回の処理対象のレコード（ＩＤ、姓、名、性別、生年月日、観察日）を個人情報レコードとしてＲＡＭ１０２に保持しておく。
【００４４】
また、ＣＰＵ１０３は、食形態入力受付処理（ステップＳ１０２）、観察者入力受付処理（ステップＳ１０３）、観察所見入力処理（ステップＳ１０４）にて入力されＲＡＭ１０２に保持した各種情報を、観察所見データベース１４に追加登録する。具体的には、ＣＰＵ１０３は、前記でＲＡＭ１０２に保持している、ＩＤと、観察日と、項目番号「１」〜「２５」のチェック項目それぞれのチェックの有無と、今回の観察で対象者が食べた食事の食形態（主食（呼称及びコード）、副食（呼称及びコード）、とろみ）と、今回の観察に参加した観察者と、を互いに対応付けて１つのレコードとして観察所見データベース１４（図５参照）に追加登録する。なお、前記の食形態と観察者と、は、その他の情報（図５）として登録される。ＣＰＵ１０３は、今回の処理対象のレコードを観察関連レコードとしてＲＡＭ１０２に保持しておく。
【００４５】
なお、ＣＰＵ１０３は、ステップＳ１０２〜Ｓ１０４において、今回の個人情報入力受付処理（ステップＳ１０１）にて入力（自動表示も含む）され、ＲＡＭ１０２に保持されている、姓、名、性別、及び、生年月日のセットが個人情報データベース１３において同じＩＤに対応付けられてすでに登録されているかを判別してもよい。すでに登録されている場合、ＣＰＵ１０３は、当該ＩＤを含む１つのレコード（レコードが複数ある場合には、観察日が最も新しいもの）を観察所見データベース１４からＲＡＭ１０２に読み出し、ステップＳ１０２〜Ｓ１０４の実行開始時（図８（Ａ）〜（Ｈ）の各画面の表示開始時）、当該読み出したレコードの内容を反映させてもよい。つまり、当該読み出したレコードの内容（前回の観察における入力内容）が、すでに入力されているものとして自動で初期表示されてもよい。
【００４６】
例えば、図８（Ｂ）の食形態入力画面が表示される場合に、前記読み出されたレコードの「その他」の情報に含まれる食形態（主食（呼称及びコード）、副食（呼称及びコード）、とろみ）が、入力欄Ｎ１１〜Ｎ１５に最初から入力（表示）されていてもよい。
【００４７】
例えば、図８（Ｄ）の第１観察所見入力画面が表示される場合に、前記読み出されたレコードに含まれる項目番号「１」〜「５」のチェック項目のチェックの有無を参照し、チェックボックスＣ３１〜Ｃ３５のうち、チェック有りの項目番号のチェック項目に対応するチェックボックスが最初からチェックされていてもよい（前回の観察でのチェック箇所が表示される）。
【００４８】
上記初期表示により、ユーザの利便性が高まるとともに、ユーザは、前回の観察の結果等（入力情報）を把握できる。
【００４９】
ステップＳ１０５のあと、ＣＰＵ１０３は、ＣＰＵ１０３は、データベース登録処理（ステップＳ１０５）で保持した各レコードの内容を反映した食事支援情報を表示する食事支援情報表示処理を実行する（ステップＳ１０６）。食事支援情報の一例を図９に示す。食事支援情報は、ユーザにより入力された情報に基づく各種の情報（「考えられることは？」、「こんな対応策を検討しましょう」、「推奨される食事内容」等の判定結果を含む。）が一覧表示されたものである。
【００５０】
図９の「氏名」、「性別」、「生年月日」、「観察日」の欄には、上記でＲＡＭ１０２に保持した個人情報レコードの内容（姓、名、性別、生年月日、観察日）が表示される。「年齢」は、生年月日から算出される。「観察回数」は、今回の観察が何回目であるかを示すものであり、観察所見データベース１４に登録されている、前記レコードに含まれるＩＤを有するレコードの数により特定される（同じＩＤのレコードが３つであれば、３回目）。
【００５１】
図９の「食形態」における、「主食」の欄、「副食」の欄、「とろみ」の欄には、観察関連レコードに含まれる、食形態の主食（呼称及びコード）、副食（呼称及びコード）、とろみが表示される。
【００５２】
「い〜とみるスコア」の欄に表示されている５角形のレーダーチャートＲ１は、前記の観察関連レコードに含まれる、項目番号「１」〜「２５」のチェック項目それぞれのチェックの有無に基づいて作成される。具体的に、ＣＰＵ１０３は、前記チェックの有無の情報に基づいて、チェックされたチェック項目の数（チェック数）をカテゴリ（「全身状態」、「認知・意欲」、「口腔機能」、「咽頭機能」、「姿勢保持」）ごとに特定して点数化する。当該点数は、５からチェック数を減じた数であり、５点満点である（点数が高い方が、チェック数が少ない）。ＣＰＵ１０３は、５つのカテゴリ毎に点数化して得られた点数を５角形のレーダーチャートＲ１で表示する。５角形のレーダーチャートＲ１は、今回の観察により得られたものとして、実線で描かれている。
【００５３】
「い〜とみるスコア」の欄に表示されている５角形のレーダーチャートＲ２は、観察所見データベース１４における、前記の観察関連レコードに含まれるＩＤと同じＩＤを有するレコードのうち、当該観察関連レコードが有する観察日の１つの前の観察日を有するレコードに基づいて作成される。具体的に、ＣＰＵ１０３は、前記１つの前の観察日を有するレコードを特定してＲＡＭ１０２に読み出し、読み出したレコードに含まれる、項目番号「１」〜「２５」のチェック項目それぞれのチェックの有無に基づいて、上記と同様に、チェック数をカテゴリごとに特定して点数化する。ＣＰＵ１０３は、５つのカテゴリごとに点数化して得られた点数を５角形のレーダーチャートＲ２で表示する。５角形のレーダーチャートＲ２は、前回の観察により得られたものとして、点線で描かれている。
【００５４】
図９の「観察所見」の欄には、前記の観察関連レコードに含まれる、項目番号「１」〜「２５」のチェック項目それぞれのチェックの有無が、チェック項目とともにカテゴリ（「全身状態」、「認知・意欲」、「口腔機能」、「咽頭機能」、「姿勢保持」）毎に表示される。各チェック項目の先頭の四角によりチェックの有無が示され、白抜きの四角は、チェック無しを示す（図９では、例えば、「食欲がない」のチェック項目は、チェック無しである）。黒に塗りつぶされた四角は、チェック有りを示す（図９では、例えば、「覚醒が悪い」のチェック項目は、チェック有りである）。図９のように、チェック結果をチェック項目とともに一覧表示することで、チェック状況を視覚的に容易に把握できる。
【００５５】
図９の「考えられることは？」の欄には、チェック項目データベース１２（図２、図３）において、前記の観察関連レコード（項目番号「１」〜「２５」のチェック項目それぞれのチェックの有無）により特定されるチェック有りのチェック項目に対応付けられている「考えられること」が一覧表示される。具体的にＣＰＵ１０３は、前記の観察関連レコードに含まれる前記チェックの有無に基づき、今回チェックされたチェック項目を特定し、特定したチェック項目に基づき、チェック項目データベース１２を参照し、当該特定したチェック項目に対応付けられている「考えられること」（例えば、「現在３７℃以上の発熱がある」がチェックされている場合には、「誤嚥のリスクが高い」、「口腔内の衛生状態が悪い」、「脱水の可能性がある」）をすべて読み出す。ＣＰＵ１０３は、読み出した「考えられること」を「考えられることは？」の欄に表示する。なお、ＣＰＵ１０３は、読み出した複数の「考えられること」の中に、重複するものがある場合、そのうちの１つのみを表示するようにする。
【００５６】
図９の「こんな対応策を検討しましょう」の欄には、チェック項目データベース１２（図２、図３）において、前記の観察関連レコード（項目番号「１」〜「２５」のチェック項目それぞれのチェックの有無）により特定されるチェック有りのチェック項目に対応付けられている「検討事項」が一覧表示される。具体的にＣＰＵ１０３は、前記で特定したチェック有りのチェック項目に基づき、チェック項目データベース１２を参照し、当該特定したチェック項目に対応付けられている「検討事項」（例えば、「現在３７℃以上の発熱がある」がチェックされている場合には、「口腔ケアの方法を検討」、「食形態の変更を検討」、「食事中の見守りや介助方法を検討」、「脱水対策を検討」）をすべて読み出す。ＣＰＵ１０３は、読み出した「考えられること」を「考えられることは？」の欄に表示する。なお、ＣＰＵ１０３は、読み出した複数の「検討事項」の中に、重複するものがある場合、そのうちの１つのみを表示するようにする。
【００５７】
図９の「推奨される食事内容」の欄には、推奨（提案）される食事内容が表示される。ここでは、「学会分類２０１３（食事）」のコード等（ここでは、食形態）により推奨内容が表示される。推奨内容は、食事提案データベース１５により特定されるものである。具体的に、ＣＰＵ１０３は、前記で特定したチェック有りのチェック項目の数（チェック数）をカウントし、カウントしたチェック数に基づき、食事提案データベース１５を参照し、当該チェック数に対応付けられた食事内容（「絶食」又は前記のコード）を読み出し、読み出した食事内容を「推奨される食事内容」の欄に表示する。
【００５８】
図９の「追加コメント」の欄には、ユーザにより入力装置１０５を介してコメントが適宜入力される。
【００５９】
観察者や観察に参加しなかった関係者（以下、まとめて観察者等という。）は、会議（他職種会議）を行い、対象者が経口による食事を継続できるための対応策を協議し、経口維持計画（経口による食事を維持できるように食事を支援する計画）を作成する。このときに、図９の食事支援情報（特に、「考えられることは？」、「こんな対応策を検討しましょう」、「推奨される食事内容」の各欄に表示された情報（「考えられること」、「検討事項」の内容）、レーダーチャートＲ１及びＲ２）が参照される。これにより、観察者等は経口維持計画を作成するときのヒントを視覚的に得ることができる。特に、図９に示すように、「考えられることは？」、「こんな対応策を検討しましょう」、レーダーチャートＲ１及びＲ２を含む各種情報が食事支援情報により一覧表示されることにより、観察者等は経口維持計画を作成するときのヒントを直感的に得ることができる。さらに、「考えられることは？」、「こんな対応策を検討しましょう」の欄に表示される情報については、チェック項目とは別にまとめて一覧表示されることにより、各欄の情報を包括的に確認でき、観察者等は経口維持計画を作成するときのヒントを容易に確認できる。従って、本実施形態によれば、経口維持計画の作成の利便性が従来に比べ向上する（換言すると、食事の支援の利便性が従来に比べ向上する。以下同じ）。なお、「一覧表示」は、一画面内に収まる一覧表示、スクロールによって全体を確認することができる一覧表示、複数頁に分割された一覧表示等も適宜含むものとする。「考えられること」と、「こんな対応策を検討しましょう」とのうちのいずれかのみを採用してもよく、その場合でも上記効果はある程度得られる。また、本実施形態では、ユーザが必要な情報を入力すれば、自動で食事支援情報が生成されるので、この点からも経口維持計画の作成の利便性が従来に比べ向上し、食事の支援の利便性が従来に比べ向上する。
【００６０】
「考えられること」、「こんな対応策を検討しましょう」には、複数のチェック項目に重複して対応しているものがあるが、この実施の形態の食事支援情報では、この重複が排除されているので、容易に「考えられること」、「こんな対応策を検討しましょう」を把握できる。従って、本実施形態によれば、経口維持計画の作成の利便性が従来に比べ向上する。さらに、「推奨される食事内容」により食事内容の具体的な提案が受けられるので、経口維持計画の作成の利便性が従来に比べ向上する。
【００６１】
また、上述したように、チェック数が多ければ多いほど摂食嚥下機能の低下が著しくなるので、チェック数を上記のように点数化して示されるレーダーチャートの面積が小さくなればなるほど（チェック数が少ないほど面積は大きい）、摂食嚥下機能が低下する傾向がある。図９のように、前回の観察によるレーダーチャートＲ２と、今回の観察によるレーダーチャートＲ１とを重ねて表示することで、これらの面積の比較がしやすく、観察者は、対象者の摂食嚥下機能の低下度合い等を視覚的に容易に把握できる。なお、レーダーチャートの面積が小さくなればなるほど、寿命が短くなる可能性もあり、レーダーチャートにより、寿命を把握することができる。これらにより、今後の対策（経口維持計画の作成を含む。）を有効に立てることもできる。
【００６２】
また、上記初期表示のように、提示中のチェック項目それぞれについて前回のチェック結果を報知することにより、ユーザは前回のチェック結果を容易に把握でき、利便性が向上する。なお、前回のチェック結果の報知は、前記のようにチェック項目を予めチェックしておくことによる報知の他、例えば、前回用のチェックボックスを今回用のチェックボックスＣ３１〜Ｃ３５等とは別に設け、前回用のチェックボックスをチェックすることで、前回のチェック結果を報知してもよい。または、前回チェックされたチェック項目を一覧表示してもよい。
【００６３】
情報表示装置１００のＣＰＵ１０３は、経口維持計画書の作成を支援するため、経口維持計画書の作成に必要な情報の入力を入力装置１０５を介して受け付け、入力された情報をテンプレートとして用意した経口維持計画書（図１０参照）に反映させ、反映させた経口維持計画書を食事支援情報とともに出力（プリンターへの出力）してもよい。経口維持計画書の作成に必要な情報としては、（１）他職種会議に参加した参加者、（２）今後の課題や目標、（３）期間、（４）対象者（ここでは、利用者）又は家族の意向、（５）これまで実施された検査項目（反復唾液嚥下テスト（ＲＳＳＴ）、 改定水飲みテスト（ＭＷＳＴ） 、食物テスト（ＦＴ）、 頸部聴診、 嚥下内視鏡検査（ＶＥ）、 嚥下造影検査（ＶＦ））、（６）食事の形態・とろみ、補助食品、食事の周囲環境を変更するか現状維持するかの情報、（７）口腔ケアの方法を変更するか現状維持するかの情報、（８）医療又は歯科医療の受診の必要性、（９）経口維持加算における算定加算（Ｉ）に必要な情報（気づいた点やアドバイス等と、それを提案した者の氏名及び職種）、（１０）経口維持加算における算定加算（ＩＩ）に必要な情報（気づいた点やアドバイス等と、それを提案した者の氏名及び職種）、（１１）医師又は歯科医師からの気づいた点やアドバイス等と、その医師又は歯科医師の氏名）等がある。入力された情報は、例えば、図１０の経口維持計画書のテンプレートの各欄に反映され、適宜、食事支援情報とともに印刷等される。これによって、経口維持計画書を半自動で作成することができ、経口維持計画書の作成の利便性が従来に比べ向上する。
【００６４】
（変形例）
以下、上記実施形態の変形例を説明する。以下の変形例の少なくとも一部は矛盾が生じない限り組み合わせることができる。なお、上記実施の形態の構成や下記の構成は、上記「発明が解決しようとする課題」等に係る構成であるか否かに関わらず、どの構成であっても省略できる（その場合には、別の発明となりうる）。
【００６５】
（変形例１）
「推奨される食事内容」の欄に表示される食事内容は、「学会分類２０１３（食事）」のコードではなく、例えば、具体的な食品や料理、食事の献立、具体的な食形態等であってもよい。例えば、「推奨される食事内容」の欄に、「Ｘ食品会社の食品Ｙを推奨します」を表示してもよい。この場合、「学会分類２０１３（食事）」のコードと、食品とを対応付けたデータベースを用意してもよいし、食事提案データベース１５における「食事内容」を、食品の情報に変更してもよい。また、食事提案データベース１５における「チェック数」は、チェックされたチェック項目に基づく他の情報に変更してもよい。例えば、チェック数は、点数化（満点−チェック数）されたものであってもよい。例えば、当該「チェック数」を特定のカテゴリのチェック数に変更してもよい。また、レーダーチャートＲ１の面積、形状、変形率（チェック無しのレーダーチャートに対する変形率）等に変更してもよい。さらに、１〜２５のチェック項目全体のチェック分布又はカテゴリ毎のチェック項目のチェック分布に変更してもよい。これらのように、「推奨される食事内容」の欄に表示される食事内容（食事支援情報で推奨される食事内容）は、チェックされたチェック項目に基づく情報（チェックされたチェック項目により特定される数、分布、チェックされたチェック項目に基づくレーダーチャート等の情報等）に応じて表示されるものであればよい。換言すると、ＣＰＵ１０３は、例えば、チェックされたチェック項目（摂食嚥下障害を有する者の状態として考えられる複数の候補のうちの、ユーザにより選択された候補（数、分布、レーダーチャートの形状等を含む））に対応する食事内容を今回の観察の対象者に推奨される食事内容として表示すればよい。チェックされたチェック項目（選択された候補）と、推奨される食事内容との関係を示すデータ（データベース等）は、予め用意され（例えば、不揮発性記憶装置１０１に格納され）、ＣＰＵ１０３により参照されればよい。当該関係は、例えば、専門家が各種調査（例えば、チェックされたチェック項目と、摂取可能な食事の形態と、の関係の統計を取る）を行って予め定められる。
【００６６】
（変形例２）
観察所見データベースの内容は、例えば、病院等の施設毎、地域毎で共有され、各種統計に用いられてもよい（例えば、観察所見データベースの内容を、病院等の施設毎、地域毎で蓄積した他のデータベースを作成し、統計等に使用する）。例えば、観察所見データベースの１レコードに、施設や地域を識別する識別情報、ＩＤに対応する個人情報を含ませ、複数の情報表示装置１００（例えば、施設毎に１つ以上配置される。）と通信可能なサーバコンピュータを設け、各情報表示装置１００（ＣＰＵ１０３）は、ユーザからの操作に基づいて、当該サーバコンピュータに設けられたデータベースに前記１レコードを順次格納していく（複数の対象者それぞれについて、複数回の観察それぞれによって生成される複数のレコードが格納される。ＩＤは、各レコードについて各対象者を特定できるよう適宜のものが振られる。ＩＤは、例えば、情報表示装置１００で管理される上記ＩＤの番号＋情報表示装置１００固有の識別番号の値をＩＤとしてもよい。）。また、当該１レコードに、対象者のその観察時点での要介護レベル、認知症の進行度、健康状態（生活習慣病に関する情報）等を含ませてもよい。このようなことにより、各種の統計を取ることができる。例えば、介護の要否、認知症の進行度、健康状態と、レーダーチャートの面積又は変形率、５カテゴリそれぞれのスコアとの関係等を把握するための統計をとることができる。また、チェック項目のチェック分布の時系列での変遷（対象者毎の変遷）の統計や、地域毎にどのチェック項目にチェックがされやすいかの統計等を取ることができる。チェック項目のチェック分布（レーダーチャートの形状等を含む）の時系列での変遷（対象者毎の変遷）の統計により、ある対象者が将来どのような状態（どのチェック項目に該当する状態）に陥りやすいか、摂食嚥下機能の改善の見込み等を把握でき、今後の対応（食事支援のための対応策等）に役立てることができる。また、地域毎にどのチェック項目（又はカテゴリ）にチェックがされやすいかの統計により、地域毎の対象者の傾向を把握できる。例えば、「認知・意欲」のカテゴリのチェック数が、極端に多い地域であれば、認知症が多いことを把握できる。例えば、「全身状態」のカテゴリに属するチェック項目（特に、項目番号１）のチェックが多い地域は、誤嚥性肺炎の多い地域と分かる。例えば、地域によって異なる食文化とチェックされたチェック項目との関係を把握できる。このような把握により、地域毎に適切な対策を取ることができる。
【００６７】
（変形例３）
不揮発性記憶装置１０１に記憶された各種データ（特に各種のデータベース）は、情報表示装置１００の外部のサーバ等に格納されてもよい。
【符号の説明】
【００６８】
１１・・・食事支援プログラム、１２・・・チェック項目データベース、１３・・・個人情報データベース、１４・・・観察所見データベース、１５・・・食事提案データベース、１００・・・情報表示装置、１０１・・・不揮発性記憶装置、１０２・・・ＲＡＭ、１０３・・・ＣＰＵ、１０４・・・ディスプレイ、１０５・・・入力装置、Ｒ１，Ｒ２・・・レーダーチャート、Ｃ１１〜Ｃ１６，Ｃ２１〜Ｃ３０，Ｃ３１〜Ｃ３５，Ｃ４１〜Ｃ４５，Ｃ５１〜Ｃ５５，Ｃ６１〜Ｃ６５，Ｃ７１〜Ｃ７５・・・チェックボックス
【図１】
2018180956.tif 000003
【図２】
2018180956.tif 000004
【図３】
2018180956.tif 000005
【図４】
2018180956.tif 000006
【図５】
2018180956.tif 000007
【図６】
2018180956.tif 000008
【図７】
2018180956.tif 000009
【図８】
2018180956.tif 000010
【図９】
2018180956.tif 000011
【図１０】
2018180956.tif 000012